(57)【要約】  係合機能がない従来の綴じ具と略同様の開閉操作によってリングの開閉を行うことができる綴じ具に関する技術を提供する。  ファイル本体の表紙に接続されたベース部と、リング部と、レバー部と、第一リング部及び第二リング部の相対位置を変更するカム部と、を備える綴具に関し、カム部は、レバー部の位置が、閉リング姿勢に対応した位置から、開リング姿勢に対応した位置まで連続的に移動された際、まず、係合部と被係合部とが係合した状態から、両者の係合が解除される方向へ第一リング部及び第二リング部を相対移動させて両者の係合を解除し、その後、この相対移動方向とは異なる方向に第一リング部及び第二リング部を相対移動させて係合部と被係合部とを相対的に離間させる。
2010024124.tif 000002
【特許請求の範囲】
【請求項１】
紙葉類を綴じ込む、ファイル本体の表紙に接続された綴じ具であって、
前記ファイル本体の表紙に接続されたベース部と、
それぞれベース部に接続された第一リング部及び第二リング部を備えたリング部と、
第一リング部の先端部に設けられた係合部と、
第二リング部の先端部に設けられ、前記係合部と係合する被係合部と、
ベース部に対して回動可能に接続されたレバー部と、
ベース部に対するレバー部の位置に応じ、ベース部に対する第一リング部及び第二リング部の相対位置を変更するカム部と、を備え、
前記カム部は、
ベース部に対するレバー部の位置が、係合部と被係合部とが係合した閉リング姿勢に対応した位置から、両者が被係合でリング部への紙葉類の抜き差しが自在な開リング姿勢に対応した位置まで連続的に移動された際、
まず、係合部と被係合部とが係合した状態から、両者の係合が解除される方向へ第一リング部及び第二リング部を相対移動させて両者の係合を解除し、
その後、この相対移動方向とは異なる方向に第一リング部及び第二リング部を相対移動させて係合部と被係合部とを相対的に離間させる、
綴じ具。
【請求項２】
リング部は、第一リング部及び第二リング部がそれぞれ複数のリングを備え、第一リング部の各リングが互いに異なる第二リング部のリングと係合するように構成され、
第一リング部は、
被係合部に対して係合部が離間する方向へ相対移動する際の回動中心となる、各リングのベース側端部側をつなぐ第一回動軸部と、
第一回動軸部に接続され、前記カム部によって押圧される第一押圧部と、を有し、
第二リング部は、
係合部に対して被係合部が離間する方向へ相対移動する際の回動中心となる、各リングのベース側端部側をつなぐ第二回動軸部と、
第一回動軸部に接続され、カム部によって押圧される第二押圧部と、を有し、
ベース部は、
第一回動軸部を回動可能に保持する第一回動軸部保持部と、
第二回動軸部を回動可能に保持する第二回動軸部保持部と、
第一回動軸部における第一回動軸部保持部に保持されていない箇所との間に設けられ、当該箇所をベース部から離間する方向へ付勢する第一付勢手段と、
第二回動軸部における第二回動軸部保持部に保持されていない箇所との間に設けられ、当該箇所をベース部から離間する方向へ付勢する第二付勢手段と、を有し、
係合部及び被係合部は、ベース部の略鉛直方向に沿って一方が他方に対して相対移動することで閉リング姿勢における係合状態が解除される係合機構であり、
カム部は、
閉リング姿勢から係合部及び被係合部の係合が解除される段階において、レバー部のベース部に対する位置に応じて、第一押圧部のベースとの位置を閉リング姿勢における位置と略同じ位置に規制するか、又は閉リング姿勢における位置よりもベース部に近づくように規制し、第二押圧部が閉リング姿勢における位置よりもベースから離間するように規制し、係合部及び被係合部が当接しない状態とし、
係合部及び被係合部の係合が解除された状態から開リング姿勢に至る段階において、各押圧部がそれぞれベースから離間するように規制する、請求項１に記載の綴じ具。
【請求項３】
請求項２に記載の綴じ具において、前記カム部が、閉リング姿勢から係合部及び被係合部の係合が解除される段階において、レバー部のベース部に対する位置に応じて、第一押圧部が閉リング姿勢における位置よりもベース部に近づくように規制し、第二押圧部のベースとの位置を閉リング姿勢における位置と略同じ位置に規制し、係合部及び被係合部が当接しない状態とするようにされた、綴じ具。
【発明の詳細な説明】
【技術分野】
【０００１】
本発明は、書類を閉じ込むための開閉可能なリング部を有する綴じ具の技術に関する。
【背景技術】
【０００２】
リングを形成する第一の綴じ軸と第二の綴じ軸の先端同士を開いた際に書類等の紙葉類の加除を行い、該先端同士を閉じることで紙葉類を綴じる綴じ具が知られている。このような従来の綴じ具では、二つの綴じ軸を閉じた状態において、外部からの力や綴じられている紙葉類の自重等により綴じ軸の先端同士が開いてしまい、綴じられている紙葉類が脱落してしまうことがあった。【０００３】
上記問題を解決すべく開発された技術として、二つの綴じ軸の先端同士を閉じた状態において係合させ、先端同士の係合状態を解除しないと綴じ軸を開くことができない綴じ具に関する従来技術が知られている（例えば、特許文献１、特許文献２を参照。）。【０００４】
特許文献１には、第一の綴じ軸と第二の綴じ軸で構成されたリングがベース部材の長手方向に二つ設けられた綴じ具に関する技術が開示されている。特許文献１に記載の綴じ具は、綴じ軸の先端同士を閉じた状態において、例えばベース部材の長手方向に設けられた二つの第一の綴じ軸同士を互いに接近する方向に移動させることで、第一の綴じ軸と第二の綴じ軸との係合状態が解除される。また、特許文献１に記載の綴じ具では、係合状態を解除した後、第一の綴じ軸と第二の綴じ軸の先端同士を離間する方向へ移動させることで、紙葉類の加除が可能な状態となる。すなわち、特許文献１に記載の綴じ具は、綴じ軸の先端同士が閉じた状態において先端同士が係合しており、開閉方向とは異なる方向に第一の綴じ具及び／又は第二の綴じ具を移動させなければ綴じ具が開かないように構成されている。このような特許文献１に記載の綴じ具によれば、綴じられている紙葉類の自重が第一の綴じ具と第二の綴じ具を開かせる方向に作用するような場合であっても、両者の接続状態が維持され、当該紙葉類の脱落が防止される。【０００５】
また、特許文献２には、紙葉類を綴じるための開閉可能なリングとこのリングを開閉するためのレバーとを備える綴じ具に関する技術が開示されている。特許文献２に記載の技術では、リングの先端にリングの先端部同士の開放動作を禁止する係合部が設けられている。この係合部は、人為的な弾性変形を加えることで係合状態が解除されるように構成されている。
【先行技術文献】
【特許文献】
【０００６】
【特許文献１】特開２００３−２１１８８７号公報
【特許文献２】国際公開第２００５／０３５２６５号パンフレット
【発明の概要】
【発明が解決しようとする課題】
【０００７】
上述した、特許文献１又は特許文献２に開示されている従来のリングの先端部同士を係合させる綴じ具（以下、従来の係合機能付き綴じ具ともいう。）は、いずれも、リングの先端部同士を開く前に、リングの先端部同士の係合状態を人為的に解除する必要がある。従って、従来の係合機能付き綴じ具では、以下のような問題点が指摘されている。【０００８】
従来の係合機能付き綴じ具は、一般に広く普及しているリングの先端部同士を係合しない綴じ具（以下、従来の係合機能なし綴じ具ともいう。）の開閉操作と比較すると、開閉操作に要する工程が多くなる。【０００９】
また、従来の係合機能付き綴じ具は、従来の係合機能なし綴じ具とは異なる開閉操作を
利用者に強いる。一方、従来の係合機能なし綴じ具と従来の係合機能付き綴じ具は、一般的な利用者にとって、外観の見分けがつきにくい。そこで、一般的な利用者は、従来の係合機能付き綴じ具を従来の係合機能なし綴じ具と同様の開閉操作によって開閉させようとしてしまうことが多い。【００１０】
しかし、従来の係合機能付き綴じ具は同様の操作では開閉しないため、利用者は、従来の係合機能付き綴じ具の開閉を行うことができない。そして、利用者は、この時点で、これら二つの綴じ具（従来の係合機能付き綴じ具と従来の係合機能なし綴じ具）の開閉操作が異なることを認識する。【００１１】
従って、利用者は、従来の係合機能付き綴じ具の開閉操作を改めて理解しなければならず、作業に要する時間がより長くなってしまう。場合によっては利用者にストレスを感じさせてしまう場合もある。【００１２】
特に、従来の係合機能付き綴じ具のうち、特許文献２に開示されているようなレバー操作によってリングの開閉が行われる綴じ具は、同じくレバー操作によってリングの開閉を行う従来の係合機能なし綴じ具との見分けがつきにくい。従って、利用者は、レバー操作によってリングの開閉操作を行おうとするため、係合機能付き綴じ具に対して想定外の負荷がかかる虞がある。例えば、特許文献２に開示されているような綴じ具では、レバーの付け根などに大きな負荷がかかることが考えられる。また、更に大きな力を加えると、レバーが折れることも懸念される。なお、このような問題を想定し、各部材の強度を向上させてもよい。しかし、各部材の強度を向上させるとなると、綴じ具の重量が重くなる、綴じ具に用いる原材料の使用量が増加する、といったことが懸念される。【００１３】
また、上記特許文献２に開示されている技術では、ユーザが手で直接係合状態を解除した後、レバーを用いてリングを開閉しなければならない。すなわち、レバー操作によってリングの開閉が可能でありながら、ユーザが手にとって係合状態を解除しなければレバー操作ができないという問題があった。【００１４】
本発明は、上記問題に鑑みてなされたものであり、紙葉類を綴じるための開閉可能なリングの先端部同士を綴じた状態で係合する係合部を有する綴じ具において、係合機能がない従来の綴じ具と略同様の開閉操作によってリングの開閉を行うことができる綴じ具に関する技術を提供することを課題とする。
【課題を解決するための手段】
【００１５】
本発明に係る第一の綴じ具は、紙葉類を綴じ込む、ファイル本体の表紙に接続された綴じ具であって、ファイル本体の表紙に接続されたベース部と、それぞれベース部に接続された第一リング部及び第二リング部を備えたリング部と、第一リング部の先端部に設けられた係合部と、第二リング部の先端部に設けられ、係合部と係合する被係合部と、ベース部に対して回動可能に接続されたレバー部と、ベース部に対するレバー部の位置に応じ、ベース部に対する第一リング部及び第二リング部の相対位置を変更するカム部と、を備え、カム部は、ベース部に対するレバー部の位置が、係合部と被係合部とが係合した閉リング姿勢に対応した位置から、両者が被係合でリング部への紙葉類の抜き差しが自在な開リング姿勢に対応した位置まで連続的に移動された際、まず、係合部と被係合部とが係合した状態から、両者の係合が解除される方向へ第一リング部及び第二リング部を相対移動させて両者の係合を解除し、その後、この相対移動方向とは異なる方向に第一リング部及び第二リング部を相対移動させて係合部と被係合部とを相対的に離間させる。【００１６】
上記構成によれば、利用者は、レバーを移動させるだけで、当該レバーのベースに対する位置に応じてカムが第一リング部と第二リング部をまず係合解除方向に相対移動させ、
次いで当該方向とは異なる方向で両者の先端部同士を引き離す方向へ相対移動させることができる。【００１７】
なお、リング部を開リング姿勢から閉リング姿勢にする場合には、利用者はレバーを上記とは反対方向に移動させることで、カムが当該レバーのベースに対する位置（方向）に応じて、まず第一リング部と第二リング部を近づける方向に相対的に移動させ、次いで当該方向とは異なる方向であって第一リング部の先端部と第二リング部が近づく方向に両者を相対的に移動させて当接させ、両者の先端部に設けられた係合部と被係合部が係合させることができる。これにより、第一リング部と第二リング部が互いに離れようとしても係合部と被係合部が当該方向への移動を規制し、レバー操作によるカムによる当該方向とは異なる方向（係合解除方向）への両リングの移動がなければ互いに離れる方向に移動することができない。【００１８】
言い換えると、原則的には第一リング部及び第二リング部の先端部の接線方向（ベース部に投影した際の延在方向、適宜「開放方向」と表記する。）と略同方向において両リングの先端部（係合部及び被係合部）が互いに離れる方向に相対移動することで閉リング姿勢から開リング姿勢となるが、係合部及び被係合部は、閉リング姿勢から両リングが開放方向へ移動することを規制する係合機構である。従って、カム部は、閉リング姿勢から開リング姿勢とする際、まず、第一リング部及び第二リング部を、開放方向とは異なる方向であって、係合部と被係合部との係合を解除する方向（係合解除方向）に相対移動させて係合部と被係合部の係合状態を解除する。その後、第一リング部及び第二リング部を開放方向において係合部と被係合部が互いに離れる方向に相対的に移動させる。すなわち、係合部及び被係合部による係合機構は、第一リング部及び第二リング部が開放方向に相対的に移動することを規制する引っかかりであり、カム部はレバー部の動きに応じてその引っかかりを解除してから両リング部を引き離す（開リング姿勢からは、両リング部を近づけた後に両先端部を引っかけて閉リング姿勢とする。）。【００１９】
なお、第一リング部及び第二リング部は上記の通り相対的に移動すればよい。従って、第一リング部は閉リング姿勢から開リング姿勢に至るまで位置が移動せず、第二リング部のみがベース部に対して相対的に移動することで、両リングを相対的に係合解除方向にずれた状態とし、次いで開放方向にずれた状態としてもよい。この他にも種々態様を採用し得るが、例えば以下の態様を採用することもできる。【００２０】
すなわち、リング部は、第一リング部及び第二リング部がそれぞれ複数のリングを備え、第一リング部の各リングが互いに異なる第二リング部のリングと係合するように構成され、第一リング部は、被係合部に対して係合部が離間する方向へ相対移動する際の回動中心となる、各リングのベース側端部側をつなぐ第一回動軸部と、第一回動軸部に接続され、前記カム部によって押圧される第一押圧部と、を有し、第二リング部は、係合部に対して被係合部が離間する方向へ相対移動する際の回動中心となる、各リングのベース側端部側をつなぐ第二回動軸部と、第一回動軸部に接続され、カム部によって押圧される第二押圧部と、を有し、ベース部は、第一回動軸部を回動可能に保持する第一回動軸部保持部と、第二回動軸部を回動可能に保持する第二回動軸部保持部と、第一回動軸部における第一回動軸部保持部に保持されていない箇所との間に設けられ、当該箇所をベース部から離間する方向へ付勢する第一付勢手段と、第二回動軸部における第二回動軸部保持部に保持されていない箇所との間に設けられ、当該箇所をベース部から離間する方向へ付勢する第二付勢手段と、を有す。係合部及び被係合部は、ベース部の略鉛直方向に沿って一方が他方に対して相対移動することで閉リング姿勢における係合状態が解除される係合機構である。【００２１】
そして、カム部は、閉リング姿勢から係合部及び被係合部の係合が解除される段階において、レバー部のベース部に対する位置に応じて、
（１）第一押圧部のベースとの位置を閉リング姿勢における位置と略同じ位置に規制し、第二押圧部が閉リング姿勢における位置よりもベースから離間するように規制するか、
（２）第一押圧部のベースとの位置を閉リング姿勢における位置よりもベース部に近づくように規制し、第二押圧部が閉リング姿勢における位置よりもベースから離間するように規制するか、
（３）第一押圧部が閉リング姿勢における位置よりもベース部に近づくように規制し、第二押圧部のベースとの位置を閉リング姿勢における位置と略同じ位置に規制することで、係合部及び被係合部が当接しない状態とし、次いで係合部及び被係合部の係合が解除された状態から開リング姿勢に至る段階において、各押圧部がそれぞれベースから離間するように規制する。【００２２】
このように構成することで、利用者はレバー部をベースに対して回動させるだけで、第一リング部及び第二リング部（係合状態の係合部及び被係合部）をまず係合解除方向に相対移動させることができ、係合部及び被係合部の係合が解除された後に両者を開放方向へ相対移動させることができる。【００２３】
第一リング部及び第二リング部はそれぞれ付勢手段によって常時開放方向に相対移動するように付勢されていて、その移動力がカム部によって規制されているため、閉リング姿勢から開リング姿勢となる際、利用者は第一リング部及び／又は第二リング部を持って両者を動かす必要がない。【００２４】
また、開リング姿勢から閉リング姿勢にする際も、第一リング部及び第二リング部の位置は上記の通りに規制（規定）される。すなわち、レバー部のベース部に対する位置（回動方向）に応じて、第一リング部と第二リング部の相対位置が決定され、閉リング姿勢から係合解除方向に相対移動した後、開放方向に相対移動して開リング姿勢に至る。【００２５】
特に、カム部を上記（２）のように構成すると、閉リング姿勢から係合部及び被係合部を係合解除方向に移動させる際、閉リング姿勢における両者の位置から係合が解除される位置までのそれぞれの移動距離は上記（１）、（３）における移動する側のリング部と比べて短くてすむ。【００２６】
なお、第一付勢手段及び第二付勢手段を別体としてもよいが同一体としてもよい。付勢手段は第一回動軸部、第二回動軸部の少なくとも一箇所と当接すればよい。カム部は、第一押圧部用と第二押圧部用で別体にしてもよく、別体のものを接着等して形成された形状の一体型のものにすることもできる。このように、上記構成は適宜変形することができる。例えば以下のような構成も採用し得る。【００２７】
本発明に係る第二の綴じ具は、紙葉類を綴じ込む、ファイル本体の表紙に接続される綴じ具であって、前記ファイル本体の表紙に接続されるベース部と、前記ベース部に接続されるリング部であって、第一リング部と第二リング部とを有し、該第一リング部と該第二リング部との先端部同士が接触することで前記紙葉類を綴じ込む閉リング姿勢を形成し、前記先端部同士が離間することで前記紙葉類の綴じ入れを可能とする開リング姿勢を形成するリング部と、前記第一リング部と前記第二リング部の夫々の先端部に設けられ、該先端部同士を係合する係合部と、前記ベース部に回動可能に接続され、前記リング部を、前記開リング姿勢と前記閉リング姿勢に切り替えるレバー部と、前記リング部が閉リング姿勢にある状態で前記レバー部が回動されると、前記第一リング部の先端部と前記第二リング部の先端部とのうち少なくとも一方の先端部を、前記係合部による係合状態を解除する方向へ移動させ、該リング部が開リング姿勢を形成するように、前記一方の先端部と他方の先端部のうち少なくとも一方の先端部を前記第一リング部の先端部と前記第二リング部の先端部とが離間する方向へ移動させるカム部と、を備える。【００２８】
この綴じ具によれば、係合部を備えることで、リング部材の先端部同士の接触状態の解除を規制することができる。すなわち、外部からの衝撃や綴じられている紙葉類の自重などによってリング部の閉リング姿勢が解除され、紙葉類が脱落することを防止することができる。また、本綴じ具によれば、カム部を備えることで、レバー部の操作のみで、係合部による係合状態の解除と、閉リング姿勢から開リング姿勢への切り替えを行うことができる。また、本綴じ具によれば、カム部を備えることで、係合機能がない従来のレバー式の綴じ具と略同様のレバー操作によって、リング部の開閉を行うことができる。【００２９】
なお、本綴じ具において、前記カム部は、前記リング部が開リング姿勢にある状態で前記レバー部が回動されると、リング部が閉リング姿勢を形成するように前記第一リング部の先端部と前記第二リング部の先端部とのうち少なくとも一方の先端部を接近させた後、開リング姿勢を形成する際に移動させた一方の先端部を、前記係合状態を解除する方向と相反する方向へ変化させることで閉リング姿勢を形成させるようにしてもよい。カム部を上記のように構成することで、レバー部を操作することで、係合状態の解除及び閉リング姿勢から開リング姿勢への切り替えに加えて、開リング姿勢から閉リング姿勢への切り替え及び係合部による係合とをレバー操作のみで行うことができる。その結果、綴じ具の利便性をより高めることが可能となる。【００３０】
リング部は、第一リング部と第二リング部とによって構成され、先端部同士が接触することで閉リング姿勢が形成され、先端部同士が離間することで開リング姿勢が形成される。リング部は、例えば、略半円状の二つのリング部材（第一リング部、第二リング部）を一対として構成することができる。この場合、リング部は、閉リング姿勢において略円形となる。なお、リング部の形状は、特に限定されるわけではなく、閉リング姿勢においてＤ字状のようなものであってもよい。【００３１】
リング部は、ベース部の長手方向に所定の間隔をあけて複数配置することができる。リング部の数やリング部同士の間隔は、綴じ込む紙葉類のサイズやパンチ孔の規格に基づいて適宜設定することができる。なお、リングを三つ以上備える綴じ具も広く利用されている。しかしながら、従来の係合機能を有する綴じ具に関する技術（例えば、特開２００３−２１１８８７号公報（特許文献１）、国際公開第２００５／０３５２６５号パンフレット（特許文献２））は、いずれも二つのリングを備える綴じ具を想定しているにすぎなかった。従って、上記従来の係合機能を有する綴じ具に関する技術に基づいて、リングを三つ以上備える係合機能を備える綴じ具に想到することは困難である。また、仮に適用したとしても、リングの開閉は、極めて難しくなることが想定される。なぜなら、特許文献１や特許文献２に開示された技術では、リングの開閉が、片手で操作するにしろ、両手で操作するにしろ、いずれにしてもリングを直接把持することで行われる。従って、リングを開閉するに際しては、リングが三つ以上の場合であっても、全てのリングを把持する必要があるが、三つ以上の全てのリングを把持して開閉操作を行うことは極めて困難だからである。これに対し、本発明に係る綴じ具では、カム部によって、レバー部に対する操作（レバー部の動き）がリング部の開閉動作に変換される。従って、リング部の数やリング部同士の間隔に左右されることなく、レバー部を操作することでリング部の開閉を行うことができる。つまり、本発明に係る綴じ具は、リング部同士の間隔が広い綴じ具や、リング部が三つ以上設けられる綴じ具として非常に好適に用いることができる。【００３２】
更に、例えば、特許文献１や特許文献２などに開示されている綴じ具は、リングが二つであり、この二つのリングは、利用者が片手で両リングの係合状態を解除できる距離に設けられている。従って、上記二つのリング同士の間隔が利用者の片手で操作可能な範囲を超えてしまうと、利用者が片手で操作することができなくなる。片手で操作できない場合、利用者は、当然両手で操作することになるが、両手で操作した場合には、片手で操作する場合に比べて大きな力が綴じ具（リング）に対して与えられることが懸念される。その結果、綴じ具を構成する各部材の強度の向上が必要となる。本綴じ具は、このような問題を解消し、係合状態を解除するために与えられる利用者の力を係合状態の解除のみに用いられるようにカム等の設計を工夫するといった必要がなく、この工夫によって機構が複雑化してしまうといった問題も防止される。【００３３】
上記綴じ具では、上記リング部が、第一リング部と第二リング部の夫々の先端部に、先端部同士を係合する係合部を有している。これにより、夫々の先端部同士が係合され、該先端部同士の接触状態の解除を規制することができる。係合部は、リング部の先端部が、該先端部の軸方向へ移動することを規制するように構成することができる。ここでいう、軸方向とは、リング部が閉リング姿勢を形成する際のリング部の先端部の軸方向である。係合部は、例えば、第一リング部の先端部の一部と第二リング部の先端部の一部とを重なるようにし、重なった部分の内側面に互いに係合可能な凹凸部を設けることで形成することができる。【００３４】
なお、凹凸部は、前記軸方向、換言すると両リング部の先端部同士が相対的に離れる方向への移動を規制することができればよい。そこで、凹凸部は、前記軸方向と略直交する方向に設けられた溝とこの溝に係合する突出部によって構成してもよい。このように、重なった部分の内側面に凹凸部を設けることで、凹凸部が互いに引っ掛かり、前記軸方向への移動を規制することが可能となる。その結果、先端部同士の接触状態が、外部からの衝撃等によって解除されることを規制することができる。【００３５】
大量の紙葉類を綴じることができるように、リング部を大口径に設計した場合、綴じられている紙葉類の重みによって、両リング部には開閉方向に特に大きな力が働く。そしてこの大きな力は、両リング部を離間させ、紙葉類の脱落の原因や、リング部の開閉機構に負荷をかけ、当該機構の故障の原因となったりする。これに対し、本綴じ具によれば、凹凸部を備えているため、このような問題を回避することができる。【００３６】
ベース部は、綴じ具の土台として機能する。ベース部は、ファイル本体の表紙の内側面と接続することで、綴じ具をファイルとして使用することが可能となる。なお、ベース部と表紙との接続方法は、特に限定されない。ベース部と表紙とを取り外し可能な構成とすることで、綴じ具とファイル本体との分別廃棄や一方の部品が破損した場合の部品交換等を容易に行うことができる。なお、本綴じ具において、表紙とは、背表紙、表表紙、裏表紙を含むものとする。【００３７】
レバー部は、上記リング部を開リング姿勢と閉リング姿勢とに切り替える。本綴じ具によれば、このレバー部を操作するだけで、係合部による係合状態の解除と、閉リング姿勢から開リング姿勢への切り替えを行うことができる。なお、前記レバー部は、前記ベース部の短手方向の略中央に回動可能に接続されるレバー基端部と、操作用の自由端部とを有し、前記リング部を閉リング姿勢から開リング姿勢へ切り替える際、前記リング部の先端部同士の間に形成される開放部分を通過するようにしてもよい。【００３８】
カム部は、レバー部の操作によって前記リング部の状態を変化させる。具体的には、カム部は、リング部が閉リング姿勢にある状態でレバー部が回動されると、第一リング部の先端部と第二リング部の先端部とのうち少なくとも一方の先端部を係合部による係合状態を解除する方向へ移動させた後、リング部が開リング姿勢を形成するように第一リング部の先端部と第二リング部の先端部とを離間させる。これにより、係合部による規制の解除と、閉リング姿勢から開リング姿勢への切り替えが可能となる。つまり、レバー操作のみで係合状態の解除とリング部の状態を変化させることができる。【００３９】
また、このレバー操作は、係合機能がない従来のレバー式の綴じ具と略同様のレバー操作である。従って、初めて本綴じ具を使用する使用者も、容易にリング部の開閉を行うことができる。また、使用方法が分からず、無理に開閉するといったこともないので、想定外の負荷がかかることによる部材の損傷が起こることが防止される。【００４０】
すなわち、閉リング姿勢においてレバー部の操作を行うことで、カム部がまず、リング部の先端同士の係合状態を解除するために、第一リング部の先端部と第二リング部の先端部とが離間する方向とは異なる方向（係合解除方向）へ第一リング部と第二リング部の少なくとも一方を移動させる（第一段階）。そして、係合状態の解除後のレバー部の操作により、カム部が、第一リング部と第二リング部とを離間する方向（開放方向）へ移動させる（第二段階）。【００４１】
また、上述した通り、カム部は、第一リング部と第二リング部の少なくとも一方を動かす機構である。従って、例えば上記第一段階では一方のリング部を動かし、上記第二段階では他方のリング部を動かすといった構成や、上記第一段階では両方のリング部を動かし、上記第二段階では一方のリング部のみを動かすといった構成、上記第一段階・第二段階の双方において、両リング部を動かすといった構成など、種々の構成を採用することができる。なお、いずれの構成を採用する場合であっても、本綴じ具のカム部は、両リングの相対的位置関係を上記のように移動させることができる。【００４２】
具体的には、本綴じ具において、前記カム部は、前記リング部が閉リング姿勢にある状態で前記レバー部が回動されると、前記第一リング部の先端部と前記第二リング部の先端部のうちの一方の先端部を前記係合部による係合状態を解除する方向へ移動させるとともに他方の先端部のみを前記離間させる方向へ移動させるようにしてもよい。また、本綴じ具において、前記カム部は、前記リング部が閉リング姿勢にある状態で前記レバー部が回動されると、前記第一リング部の先端部と前記第二リング部の先端部のうちの一方の先端部を前記係合部による係合状態を解除する方向へ移動させた後、前記離間させる方向へ移動させ、前記一方の先端部を前記係合状態を解除する方向へ移動させると共に他方の先端部を前記離間させる方向へ移動させるようにしてもよい。【００４３】
なお、前記係合部による係合状態を解除する方向とは、前記リング部が閉リング姿勢を形成する際のリング部の先端部における軸方向と略直交する方向としてもよい。上述したように、係合部は、リング部の先端部が、リング部が閉リング姿勢を形成する際のリング部の先端部における軸方向へ移動することを規制する構成とすることができる。そこで、本綴じ具では、上記軸方向と略直交する方向へいずれか一方の先端部を移動させることで、係合部による規制を解除することとした。例えば、係合部は、第一リング部の先端部の一部と第二リング部の先端部の一部とを重なるようにし、重なった部分の内側面に凹凸部を設けることで形成することができる。この場合、上記軸方向と直交する方向、換言すると内側面に設けられた凹凸部の突出方向へいずれか一方の先端部を移動させることで、係合部による係合状態を解除することができる。【００４４】
ここで、本綴じ具において、前記カム部は、前記レバー部の基端部と接続され、前記リング部の一部を押圧して該リング部を開閉させるカム部を有する構成とすることができる。この場合、前記第一リング部は、該第一リング部が開閉する際の回動中心となる第一回動軸部であって、前記ベース部の長手方向に沿う第一回動軸部と、該第一回動軸部に接続され、前記カム部によって押圧される第一押圧部と、を有する構成とすることができる。また、前記第二リング部は、該第二リング部が開閉する際の回動中心となる第二回動軸部であって、前記第一回動軸部と略平行な第二回動軸部と、該第二回動軸部と接続され、前記カム部によって押圧される第二押圧部と、を有する構成とすることができる。この場合、前記カム部は、前記リング部が閉リング姿勢にある状態で前記レバー部が回動されると、前記開リング姿勢を形成する方向に前記第一回動軸部を中心として回動する前記第一リング部の先端部と、前記開リング姿勢を形成する方向に前記第二回動軸部を中心として回動する前記第二リング部の先端部とのうち少なくとも一方の先端部を、前記開リング姿勢を形成する方向と相反する方向へ移動させる。その後、前記カム部は、前記第一リング部の先端部と前記第二リング部の先端部の夫々を前記リング部が開リング姿勢を形成するように前記第一リング部の先端部と前記第二リング部の先端部とを離間させるようにしてもよい。なお、相反する方向とは、前記係合部の係合を解除する方向である。【００４５】
カム部は、レバー部の基端部に接続されると共にリング部の一部と接触するように配置することができる。これにより、レバー部が回動した際の力をリング部へ伝達し、リング部の開閉を実現することができる。カム部は、第一押圧部と第二押圧部とを押圧することからベース部の短手方向の略中心に設けることが好ましい。従って、第一押圧部と第二押圧部も、ベース部の略中心に配置することが好ましい。第一押圧部と第二押圧部は、夫々第一回動軸部と第二回動軸部とをクランク上に折り曲げることで形成することができる。第一回動軸部と第二回動軸部は、ベース部の短手方向における中心から同じ間隔をあけて配置することが好ましい。これにより、第一リング部の先端部と第二リング部の先端部との間に形成される開放部分をベース部の短手方向における中心の上方に形成することができる。なお、第一回動軸部と第二回動軸部は、ベース部にこれらを回動可能に支持するリング支持部を設け、該リング支持部によって支持すればよい。リング姿勢を形成する方向と相反する方向とは、換言すると係合部による係合状態を解除する方向である。本構成では、カム部が、回動軸周りに回動する一方のリングをリング姿勢を形成する際に回動する方向とは逆向きに回動させ、係合状態を解除する。【００４６】
カム部は、前記リング部が閉リング姿勢にある状態で前記レバー部が回動された際、前記第一押圧部と前記第二押圧部に対して異なる押圧力を与えることで、前記第一リング部の先端部と、前記第二リング部の先端部とのうち少なくとも一方の先端部を、前記開リング姿勢を形成する方向と相反する、前記係合部の係合状態を解除する方向へ移動させるようにしてもよい。異なる押圧力は、例えば、カム部において、第一押圧部を押圧する部分の形状と第二押圧部を押圧する部分の形状との間に変化をもたせることで実現することができる。これにより、カム部から伝達された押圧力の差により、リング部の先端部の動きにずれが生じ、係合部による係合状態を解除することができる。【００４７】
具体的には、前記カム部は、前記第一押圧部を押圧する第一カム部と、前記第二押圧部を押圧する第二カム部とを有する構成とすることができる。この場合、前記第二カム部は、前記第二押圧部を押圧する部分の外郭が前記第一カム部の第一押圧部を押圧する部分の外郭よりも外側に突出する構成とすることができる。カム部は、前記リング部が閉リング姿勢にある状態で前記レバー部が回動された際、前記第二押圧部に対して前記第一押圧部よりも大きい押圧力を与え、前記第二リング部の先端部を、前記開リング姿勢を形成する方向と相反する方向へ移動させる。【００４８】
なお、上記発明では、カム部の形状を工夫することで、異なる押圧力を与えるようにしたが、押圧部の形状を工夫することでも同様の効果を得ることができる。そこで、例えば、前記第二押圧部は、前記カム部と接触する部分の外郭が前記第一押圧部におけるカム部と接触する部分の外郭よりもカム部側に突出するように形成してもよい。また、前記カム部は、前記第一押圧部と、該カム部と接触する部分が該第一押圧部におけるカム部と接触する部分の外郭よりもカム部側に突出する第二押圧部と、を押圧するようにしてもよい。このような構成によれば、前記リング部が閉リング姿勢にある状態で前記レバー部が回動された際、前記第二押圧部に対して前記第一押圧部よりも大きい押圧力を与え、前記第二リング部の先端部を、前記開リング姿勢を形成する方向と相反する、前記係合部の係合状態を解除する方向へ移動させることができる。【００４９】
また、本綴じ具は、前記リング部が開リング姿勢を形成するように、該リング部の一部を付勢する付勢部を更に備える構成としてもよい。リング部の一部には、例えば上述した第一押圧部や第二押圧部が例示される。第一押圧部及び第二押圧部の下側から板バネ等によって付勢することで、リング部が開リング姿勢を形成するように付勢することができる。この場合、カム部によって第一押圧部及び第二押圧部を下方向に押圧することで、閉リング状態を維持することができる。そして、例えばレバー部を回動させることでカム部を回動させ押圧力を弱める若しくは解除することで、リング部を開リング状態へ変化させることが可能となる。なお、付勢部を設けた場合においても、リング部が閉リング姿勢にある状態でレバー部が回動された際、第一押圧部と第二押圧部に対して異なる押圧力を与えることで、第一リング部の先端部と、第二リング部の先端部とのうち少なくとも一方の先端部を、開リング姿勢を形成する方向と相反する方向へ移動させることができる。
【発明の効果】
【００５０】
以上説明した本発明に係る綴じ具によれば、紙葉類を綴じるための開閉可能なリングとこのリングを開閉するためのレバーとを備える綴じ具において、リングの開閉と、リングの先端部同士の係合及びその解除とをレバー操作によって行うことができる綴じ具に関する技術を提供することが可能となる。
【図面の簡単な説明】
【００５１】
【図１】実施形態の綴じ具の斜視図を示す。
【図２】実施形態の綴じ具の分解斜視図を示す。
【図３】実施形態の綴じ具の平面図を示す。
【図４】実施形態の綴じ具の裏面図を示す。
【図５】第一カムと第二カムの側面図を示す。
【図６Ａ】綴じ具の閉リング姿勢の正面図を示す。
【図６Ｂ】綴じ具の閉リング姿勢の第二カム側側面図を示す。
【図６Ｃ】綴じ具の閉リング姿勢の第一カム側側面図を示す。
【図７Ａ】係合部による係合状態が解除された状態を示す正面図である。
【図７Ｂ】係合部による係合状態が解除された状態を示す第二カム側側面図を示す。
【図７Ｃ】係合部による係合状態が解除された状態を示す第一カム側側面図を示す。
【図８Ａ】綴じ具の開リング姿勢の正面図を示す。
【図８Ｂ】綴じ具の開リング姿勢の第二カム側側面図を示す。
【図８Ｃ】綴じ具の開リング姿勢の第一カム側側面図を示す。
【図９】変形例１の綴じ具における第二カムの周辺拡大図を示す。
【図１０】変形例２の綴じ具における第一カム及び第二カムの側面図を示す。
【発明を実施するための形態】
【００５２】
次に、本発明に係る綴じ具の実施形態について図面に基づいて説明する。
【００５３】
（構成）
図１は、綴じ具１の斜視図を示す。図２は、綴じ具１の分解斜視図を示す。図３は、綴じ具１の平面図を示す。図４は、綴じ具１の裏面図を示す。綴じ具１は、ファイル本体９の背表紙の内側に接続されるベースプレート２と、ベースプレート２の長手方向に所定の間隔をあけて設けられている三つのリング３ａ、３ｂ、３ｃと、リング３ａ、３ｂ、３ｃの開閉を操作するレバー４と、レバー４の回動と連動してリング３ａ、３ｂ、３ｃを開閉するカム５とによって構成されている。なお、本実施形態の綴じ具１は、紙葉類を綴じ込む閉リング姿勢（図６Ａ参照）と、紙葉類を加除するためにリング３ａ、３ｂ、３ｃの途中が開放された開リング姿勢（図８Ａ参照）に変化する。以下、各構成の詳細について説明する。
【００５４】
ベースプレート２は、ベース本体２１と、三つのリング３ａ、３ｂ、３ｃを回動可能に支持する複数のリング支持部（回動軸部保持部）２２と、カム５を回動可能に支持するカム支持部７とによって構成されている。また、本実施形態のベースプレート２は、金属板によって形成され、ベース本体２１とリング支持部２２とカム支持部７が、打ち抜き加工によって一体的に形成されている。
【００５５】
ベース本体２１は、長方形の金属板によって形成されている。ベース本体２１の寸法は、綴じ込む紙葉類の種類、パンチ穴の規格等に応じて適宜設計すればよい。なお、本実施形態のベース本体２１は、リング同士の間隔が比較的広い３穴式に対応できるように設計されている。
【００５６】
リング支持部２２は、リング３ａ、３ｂ、３ｃの回動軸部３５ａ、３６ａ等を回動可能に支持する（適宜、第一リングを支持するものを第一回動軸部保持部、第二リングを支持するものを第二回動軸部保持部と表記する。）。本実施形態のリング支持部２２は、ベース本体２１の短手方向における両端部付近の夫々に四箇所、合計八箇所設けられている。これらのリング支持部２２は、それぞれ同形状であり、リング支持部２２を設ける位置のベース本体２１の一辺を残して矩形に切り欠き、残された辺を基線として略直角に立ち上げ、内部に回動軸部３５ａ、３６ａ等が通るように湾曲させることで形成されている。これにより、本実施形態のリング支持部２２は、ベース本体２１と一体的に形成されている。
【００５７】
カム支持部７は、レバー４の基端部が接続されたカム５を回動可能に支持する。本実施形態のカム支持部７は、リング３ａとリング３ｂとの間の連結部３７ａ、３８ａ（連結部の詳細については後述する。）を押圧すべく、ベース本体２１の短手方向の中心であってリング３ａとリング３ｂとの間に設けられている。本実施形態では、このカム支持部７が設けられる位置のベース本体２１の一辺を残して台形状に切り欠き、残された辺（台形の下底に相等する。）を基線として略直角に立ち上げることで形成されている。なお、基線（台形の下底）は、ベース本体２１の短手方向の中心線と一致している。また、立ち上げられた板状のカム支持部７の上部には、カム５を回動可能に固定ピン７２を挿入する貫通孔２３が設けられている。このように本実施形態のカム支持部７は、リング支持部２２と同じくベース本体２１と一体的に形成されている。また、切り欠かれた切欠部７１は、連結部３８ａが押圧されて沈んだ際に、連結部３８ａの退避領域として機能する。
【００５８】
次にリング３ａ、３ｂ、３ｃについて説明する。なお、リング３ａ、３ｂ、３ｃの構成は、基本的にいずれも同じであるので、リング３ａを例に説明する。リング３ａは、金属製の略半円状の第一リング３１ａと第二リング３２ａとによって構成されている。本実施形態のリング３ａは、凡そ左右対称に形成されており、閉リング姿勢において第一リング３１ａの先端部と第二リング３２ａの先端部がベースプレート２の短手方向の略中央に位置するように設計されている。なお、リング３ａの内側に形成される径を大きくすることでより多くの紙葉類を閉じることが可能となる。なお、リング３ａの形状は、特に限定されるわけではなく、閉リング姿勢においてＤ字状であってもよい。
【００５９】
第一リング３１ａの先端部に係合部３３ａが設けられ、第二リング３２ａの先端部に被係合部３４ａが設けられている（図３参照）。同図に示すように、係合部３３ａと被係合部３４ａは、閉リング姿勢において夫々が重なるように上下方向に内側の一部が切り欠かれている。先端部の軸方向、すなわち紙面上方方向への移動を規制するように、係合部３３ａ、３４ａの内側面には、夫々突起と溝が形成されている。具体的には、係合部３３ａの突起と対向する位置の被係合部３４ａには溝が設けられ、係合部３３ａの溝と対向する位置の被係合部３４ａには突起が設けられている。これにより、夫々の突起と溝が引っ掛かり、軸方向への移動が規制される。その結果、紙葉類の綴じる量が多くなってしまった場合や、外部から何らかの衝撃を受けた場合であっても、紙葉類が脱落することを抑制することができる。
【００６０】
第一リング３１ａ及び第二リング３２ａの基端部には、各リングが開閉する際に中心軸となる回動軸部３５ａ、３６ａが接続されている。回動軸部３５ａと回動軸部３６ａは、互いに平行である。回動軸部３５ａは、第一リング３１ａの基端部が略直角に折り曲げられることで形成されている。また、リング３ｂ、３ｃにも、夫々回動軸部３５ｂ、３６ｂ等が接続されている。すなわち、リング３ｂの第一リング３１ｂの基端には回動軸部３５ｂが接続され、また、リング３ｃの第一リング３１ｃの基端には回動軸部３５ｃが接続されている。
【００６１】
なお、回動軸部３５ｂ、３５ｃは、回動軸部３５ａと同一軸上に位置している。一方、回動軸部３６ａは、第二リング３２ａの基端部が略直角に折り曲げられることで形成されている。リング３ｂの第二リング３２ｂの基端部には回動軸部３６ｂが接続され、また、リング３ｃの第二リング３２ｃの基端部には回動軸部３６ｃが接続されている。そして、回動軸部３６ｂ、３６ｃは、回動軸部３６ａと同一軸上に位置している。これらの回動軸部３５ａ等は、リング支持部２２によって回動可能に支持されており、リング３ａ、３ｂ、３ｃの開閉が可能となっている。
【００６２】
回動軸部３５ａと回動軸部３５ｂは、クランク状の連結部３７ａによって接続され、回動軸部３５ｂと回動軸部３５ｃは、同じくクランク状の連結部３７ｂによって接続されている。これにより、リング３ａ、３ｂ、３ｃの開閉時において、第一リング３１ａ、３１ｂ、３１ｃが一体的に開閉可能となっている。また、回動軸部３６ａと回動軸部３６ｂは、クランク状の連結部３８ａによって接続され、回動軸部３６ｂと回動軸部３６は、同じくクランク状の連結部３８ｂによって接続されている。これにより、リング３ａ、３ｂ、３ｃの開閉時において、第二リング３２ａ、３２ｂ、３２ｃが一体的に開閉可能となっている。
【００６３】
連結部３７ａ、３８ａは、上記のように回動軸部同士を接続する他、カム５と板バネ６と接触している。連結部３７ａ、３８ａは第一押圧部、第二押圧部に相当し、板バネ６は付勢手段に相当する。連結部３７ａ、３８ａは、その中央部分が、ベースプレート２の中心に配置されているカム５と接触できるように、ベースプレート２の中心に向けてクランク状に折り曲げられることで形成されている。連結部３７ａ、３８ａは、夫々の中央部分がベースプレート２の中心部分で平行に隣接し、カム５と接触可能となっている。なお、本実施形態では、連結部３７ｂ、３８ｂも、上記連結部３７ａ、３８ａと同形状により構成されている。これにより、例えば、リング３ｂとリング３ｃとの間にカムとレバーを設けることも可能となる。但し、本実施形態のように一つのレバー４によって開閉操作を行う構成の場合には、連結部３７ｂ、３８ｂは、単に直線状としてもよい。
【００６４】
板バネ６は、リング３ａ、３ｂ、３ｃが開リング姿勢を形成するように、連結部３７ａ、３７ｂを上方向に付勢する。本実施形態の板バネ６は、金属板によって形成され、基端部６１から先端部６２に向かってその幅が徐々に狭くなるように設計されている。板バネ６は、ベースプレート２のベース本体２１に設けられた細長状の貫通孔２３に挿入されている。より具体的には、板バネ６は、ベース本体２１の裏面から挿入され、基端部６１がベース本体２１の裏面側で固定され、かつ、先端部６２が連結部３７ａ、３８ａと接触するようにベース本体２１の中心に向けて湾曲している。これにより、板バネ６には、復元力が作用し、連結部３７ａ、３８ａを上方向に付勢することが可能となっている。
【００６５】
カム５は、連結部３７ａ、３８ａと接触し、レバー４の操作によってリング３ａ、３ｂ、３ｃを閉リング姿勢から開リング姿勢へ、若しくは開リング姿勢から閉リング姿勢へと変化させる。本実施形態のカム５は、合成樹脂によって形成され、連結部３７ａを押圧する第一カム５１と、連結部３８ａを押圧する第二カム５２とによって構成されている。第一カム５１と第二カム５２は、外郭の形状が異なっている。その結果、レバー４を回動させることで第一カム５１と第二カム５２が同時に回動した際、連結部３７ａと連結部３８ａに対して異なる押圧力を与え、リング３ａ、３ｂ、３ｃの先端部同士の動きにずれが生じ、係合部３３ａ、３４ａの係合状態を解除することが可能となる。換言すると、カム５により、閉リング姿勢から開リング姿勢へ状態を変化させる際、第一リング３１ａ、３１ｂ、３１ｃは、第二リング３２ａ、３２ｂ、３２ｃから離れていくように制御され、第二リング３２ａ、３２ｂ、３２ｃは、閉リング姿勢における位置よりもベースプレート２側へ一旦押し下げられた後、第一リング３１ａ、３１ｂ、３１ｃから離れていくように制御される。
【００６６】
ここで、図５は、第一カムと第二カムの側面図を示す。第一カム５１は、閉リング姿勢において連結部３７ａと接触する第一接触部５１１と、開リング姿勢において連結部３７ａと接触する第二接触部５１２と、閉リング姿勢から開リング姿勢への変化時若しくは開リング姿勢から閉リング姿勢への変化時において連結部３７ａと接触する第三接触部５１３とを有している。
【００６７】
第一接触部５１１は、閉リング姿勢において連結部３７ａが板バネ６の付勢力によって浮き上がり、リング３ａ、３ｂ、３ｃが開かないように規制する。つまり、第一接触部５１１は、リング３ａ、３ｂ、３ｃを閉リング姿勢の位置に規制する。第一接触部５１１は、固定ピン７２の軸側に窪んだ領域を有しており、この窪んだ領域に連結部３７ａの突部が収まるように構成されている。これにより、第一カム５が閉リング姿勢状態から自動的に回動することを規制することができる。
【００６８】
第三接触部５１３は、その外郭が第一接触部５１１の外郭よりも小さく設計されている。従って、第三接触部５１３が連結部３７ａを押圧する力は、第一接触部５１１が連結部３７ａを押圧する力よりも弱くなる。その結果、板バネ６の付勢力により、連結部３７ａが上方向に押し上げられ、これに伴い第一リング３１ａ、３１ｂ、３１ｃの先端部が上方に浮き上がる。また、第三接触部５１３は、第一接触部５１１と第二接触部５１２との間に設けられた外側に膨らんだ湾曲部によって構成されている。これにより、閉リング姿勢から開リング姿勢への移行若しくは開リング姿勢から閉リング姿勢への移行を円滑に行うことができる。
【００６９】
第二接触部５１２は、固定ピン７２の軸芯から第二接触部５１２までの距離が固定ピン７２から第一接触部５１１までの距離よりも短く形成されている。これにより、閉リング姿勢が解除され、リング３ａ、３ｂ、３ｃの先端部同士の間に開放部分を形成する、開リング姿勢をとる。
【００７０】
第一カム５１は、以上の構成を備えることで、閉リング姿勢から開リング姿勢へリング３ａ、３ｂ、３ｃを変化させる際、第一リング３１ａ、３１ｂ、３１ｃの先端の位置を、閉リング姿勢における第二リング３２ａ、３２ｂ、３２ｃと係合する位置から順次離れるように移動させる。また、第一カム５１の形状を上記のような形状（図５参照）に設計しているので、ベースプレート２を基準として閉リング姿勢の位置から一旦浮き上がる方向へ移動させつつ開リング姿勢の位置へ移動させる。なお、このように第一リング３１ａ、３１ｂ、３１ｃの先端が一旦上側へ移動するのは、板バネ６による上方向への力が連結部３７ａに働くからである。
【００７１】
第二カム５２も第一カム５１と同じく、閉リング姿勢において連結部３８ａと接触する第一接触部５２１と、閉リング姿勢において連結部３８ａと接触する第二接触部５２２と、閉リング姿勢から開リング姿勢への変化時若しくは開リング姿勢から閉リング姿勢への変化時において連結部３８ａと接触する第三接触部５２３とを有している。また、第一接触部５２１にも連結部３８ａの突部３８ａ１が収まる領域が設けられている。
【００７２】
このように、第一カム５１と第二カム５２は、同等の機能を有しているが、第二カム５２における固定ピン７２の軸から第三接触部５２３までの距離Ｘ２が第一カム５１における固定ピン７２の軸から第三接触部５１３までの距離Ｘ１よりも長くなるように設計されている。すなわち、第二カム５２における第三接触部５２３の外郭が第一カム５１における第三接触部５２３の外郭よりも外側に突出するように形成されている。これにより、閉リング姿勢から開リング姿勢へ変化させる際に、カム５が回動すると、第二カム５２は、第一カム５１よりも大きな下向きの押圧力を連結部３８ａに対して加えることになり、連結部３８ａが連結部３７ａよりも相対的に下方向に沈むことになる。
【００７３】
その結果、リング３ａ、３ｂ、３ｃの先端部においても第一リング３１ａと第二リング３２ａとで異なる動きを生ずる。すなわち、連結部３８ａが下方向に沈むことに連動して第二リング３２ａの先端部も下方向に沈み、連結部３７ａが上方向に浮き上がることに連動して第一リング３１ａの先端部が上方向に浮き上がる。その結果、第一リング３１ａの先端部と第二リング３２ａの先端部との間にずれが生じ、係合部３３ａと被係合部３４ａとの係合状態が解除される。
【００７４】
なお、本実施形態では、第一カム５１、第二カム５２を上記のように設計しているため、第一リング３１ａ、３１ｂ、３１ｃが上方向に浮き上がり、第二リング３２ａ、３２ｂ、３２ｃが下方向へ沈む。従って、リング３ａ、３ｂ、３ｃの先端同士の係合状態を極めて確実に解除させることができる。また、いずれか一方のリングの先端のみを上下移動させる場合と比べて、各リングの上下移動量が少なくすることができる。
【００７５】
レバー４は、リング３ａ、３ｂ、３ｃを開リング姿勢と閉リング姿勢に切り替える。レバー４は、金属部材によって構成され、カム支持部７に固定ピン７２によって回動可能に接続される基端部４１と、操作用の自由端部４２とを有している。レバー４の基端部０は、カム５と固定されており、レバー４の回動に連動してカム５が回動する。
【００７６】
（使用方法）
次に、上述した実施形態の綴じ具１の使用方法について、各構成の動作を交えて図面に基づいて説明する。
【００７７】
実施形態の綴じ具１は、ファイル本体９の表紙内側面に固定した状態で使用することができる（図１参照）。綴じ具１は、リング３ａ、３ｂ、３ｃの第一リングと第二リングの先端部同士が接触する閉リング姿勢（図６Ａ、図６Ｂ、図６Ｃ参照）とリング３ａ、３ｂ、３ｃの先端部同士が離間する開リング姿勢（図８Ａ、図８Ｂ、図８Ｃ参照）を取ることができる。紙葉類を綴じ込んだ状態で棚等において保管する場合は、閉リング姿勢で使用され、書類等を綴じ込む際や綴じ込まれた書類等を抜き差しする際には、開リング姿勢で使用される。
【００７８】
本実施形態の綴じ具１は、この閉リング姿勢から開リング姿勢への動作、若しくは開リング姿勢から閉リング姿勢への動作をレバー４の操作によって行うことができる。また、本実施形態の綴じ具１は、リング３ａ、３ｂ、３ｃの第一リングの先端部に係合部３１ａ、３１ｂ、３１ｃ、第二リングの先端部に３２ａ、３２ｂ、３２ｃが設けられおり、先端部同士の接続状態が解除されることを規制することができるが、係合部による係合状態の解除もレバー４を操作することで行うことができる。
【００７９】
図６Ａは、綴じ具１の閉リング姿勢の正面図を示す。図６Ｂは、綴じ具１の閉リング姿勢の第二カム側側面図を示す。図６Ｃは、綴じ具１の閉リング姿勢の第一カム側側面図を示す。
【００８０】
閉リング姿勢では、リングレバー４の自由端部４２がベースプレート２と平行になっている。また、板バネ６は、リング３ａ、３ｂ、３ｃが開リング姿勢を形成するように、連結部３７ａ、３８ａを上向きに押し上げる。これに対し、カム５（第一カム５１及び第二カム５２）が下向きに連結部３７ａ、３８ｂを押圧し（移動を規制し）、閉リング姿勢が保持されている。より具体的には、第一カム５１の第一接触部５１１が連結部３７ａを下向きに押圧する。また、第二カム５２の第一接触部５２１が連結部３８ａを下向きに押圧する。
【００８１】
なお、第一カム５１の第一接触部５１１及び第二カム５２の第一接触部５２１に設けられた窪んだ領域に、連結部３７ａ、３８ａの夫々に設けられている突部３７ａ１、３８ａ１が収まっている。また、リング３ａ、３ｂ、３ｃの夫々に設けられた係合部３３ａ、３４ａ等が係合することで先端部同士が離間することが規制されている。
【００８２】
紙葉類を綴じこむ場合や既に綴じ込まれている紙葉類を取り出す場合には、レバー４を操作することで、リング３ａ、３ｂ、３ｃを開リング姿勢に変化させる。レバー４を把持し、レバー４の自由端部４２を上方に持ち上げる。その結果、レバー４の回動に連動してカム５が回動し、第一リング３１ａ、３１ｂ、３１ｃの先端が第二リング３２ａ、３２ｂ、３２ｃよりも上方向（ベース本体９から離れる方向）へ移動し、第二リング３２ａ、３２ｂ、３２ｃの先端が第一リング３１ａ、３１ｂ、３１ｃよりも下方向へ移動し（それぞれ係合解除方向へ移動し）、係合部３３ａと被係合部３４ａ等の係合状態が解除される。この様子を、図７Ａ〜図７Ｃを参照しながらより詳細に説明する。
【００８３】
図７Ａは、係合部３３ａ、３４ａ等による係合状態が解除された状態を示す正面図を示す。図７Ｂは、係合部３３ａ、３４ａ等による係合状態が解除された状態を示す第二カム側側面図を示す。図７Ｃは、係合部３３ａ、３４ａ等による係合状態が解除された状態を示す第一カム側側面図を示す。
【００８４】
レバー４の自由端部４２が上方に持ち上げられると、これに連動してカム５が回動する。第一カム５１と第二カム５２は同時に回動するが、上記の通り、第二カム５２における第三接触部５２３の外郭は、第一カム５１における第三接触部５１３の外郭よりも大きく形成されている。従って、第一カム５１と第二カム５２は同時に回動されるが、第二カム５２の第三接触部５２３の方が第一カム５１の第三接触部５１３よりも下方（ベース本体９側）に位置することになる。その結果、第二カム５２が接触する連結部３８ａには、カム２の第三接触部５２３によって、第一カム５１が接触する連結部３７ａよりも強い下向きの押圧力が加えられ、連結部３８ａが連結部３７ａよりも沈むことになる。すなわち、連結部３８ａが、連結部３８ａの直下のベース本体２１に形成されている切欠部２３に退避することになる。このように連結部３８ａが下方に沈むと回動軸部３６ａを介して接続されている第一リング３２ａの先端部も下方に沈む。
【００８５】
一方、第二カム５２の第三接触部５２３は、第一カム５１の第三接触部５１３よりも上方に位置することになる。また、連結部３７ａには、板バネ６による上方向への付勢力が作用している。従って、第一カム５１が接触する連結部３７ａは、板バネ６の付勢力によって、上方向に押し上げられる。その結果、係合部３３ａと被係合部３４ａが上下方向にずれ、係合部３３ａ、３４ａの係合状態が解除される。
【００８６】
係合状態が解除された後、更にレバー４を上方に持ち上げていくと、カム５による連結部３７ａ、３８ａに対する下向きの押圧力が弱まる。その結果、板バネ６の付勢力によってリング３ａ、３ｂ、３ｃの第一リングと第二リングの先端部間に開放部分が形成される。すなわち、開リング姿勢が形成される。この様子を、図８を参照しながらより詳細に説明する。
【００８７】
図８Ａは、綴じ具１の開リング姿勢の正面図を示す。図８Ｂは、綴じ具１の開リング姿勢の第二カム側側面図を示す。図８Ｃは、綴じ具１の開リング姿勢の第一カム側側面図を示す。係合状態が解除された後、更にレバー４を上方に持ち上げていくと、リング３ａの先端部同士の間に形成される開放部分をレバー４が通過し、開リング姿勢を形成する。開リング姿勢では、レバー４が、ベースプレート２と略直交している。また、上記の通り、レバー４の回動に連動してカム５も回動する。その結果、カム５において、第一カム５１の第二接触部５１２が連結部３７ａを押圧し、第二カム５２の第二接触部５２２が連結部３８ａを押圧する。
【００８８】
なお、第二接触部５１２、５２２は、第一接触部５１１、５２１よりも外郭が小さく形成されており、連結部３７ａ、３８ａへ与える押圧力が弱く、また、係合部３３ａ、３４
ａ等の係合状態が解除されているので、板バネ６の付勢力によって連結部３７ａ、３８ａが上向きに押し上げられる。その結果、リング３ａ、３ｂ、３ｃが、回動軸部３５ａ、３６ａ等を回動軸として回動し、リング３ａ、３ｂ、３ｃの先端部同士の間に開放部分が形成される。つまり、開リング姿勢が形成される。
【００８９】
開リング姿勢から閉リング姿勢にする場合は、開リング姿勢におけるレバー４を上記とは反対方向に回動させれば、カム５は上記とは反対の順序で第一リング並びに第二リングに作用するため、第一リング及び第二リングが開放方向とは反対方向に移動して図７Ａ〜図７Ｃに示した状態となった後、それぞれ係合解除方向とは反対方向に移動して図６Ａ〜図６Ｃに示した状態（閉リング姿勢）となる。
【００９０】
（効果）
以上説明した綴じ具１によれば、係合部３３ａ、３４ａ等を備えることで、リング３ａ、３ｂ、３ｃの先端部同士の接触状態が、外部からの衝撃や紙葉類の自重によって解除され、紙葉類が脱落することを防止することができる。また、綴じ具１によれば、カム５を備えることで、レバー４を操作するだけで、係合部３３ａ、３４ａ等による係合状態の解除と、閉リング姿勢から開リング姿勢への変更、又は開リング姿勢から閉リング姿勢への変更を行うことができる。また、綴じ具１によれば、カム５を備えることで、係合機能がない従来のレバー式の綴じ具と略同様のレバー操作によって、リングの開閉を行うことができる。
【００９１】
（変形例１）
図９は、変形例１の綴じ具１における第二カムの周辺拡大図を示す。なお、点線は、上述した実施形態の第二カム５２の外郭を示す。上述した実施形態では、カム５において、第二カム５２の第三接触部５２３の外郭を第一カム５１の第三接触部５１３の外郭よりも大きくすることで、係合部３３ａ、３４ａ等の解除を実現した。これに対し、変形例の綴じ具１においては、第三接触部５２３の外郭が、第一カム５１と第二カム５２とが同様に構成され、第二カム５２の第一接触部５２１の窪んだ領域が深く形成され、かつ、第二カム５と接触する連結部３８ａに設けられている突部３８ａ１が第一カム５１と接触する連結部３７ａに設けられている突部よりも高く形成されている。変形例の綴じ具１では、閉リング姿勢から開リング姿勢へ変化する際、第二カム５２の第三接触部５２３が第一カム５１の第三接触部５１３よりも高い突部３８ａ１を乗り越えなければならない。その結果、第二カム５２の第三接触部５２３の連結部３８ａに対する押圧力が、第一カム５１の第三接触部５１３の連結部３７ａに対する押圧力を上回る。従って、連結部３８ａが、下方に沈み、係合部３３ａ、３４ａの係合状態を解除することが可能となる。
【００９２】
（変形例２）
閉リング姿勢から開リング姿勢へのリング３ａ、３ｂ、３ｃの移動において、第一リング３１ａ、３１ｂ、３１ｃの先端が第二リング３２ａ、３２ｂ、３２ｃから遠ざかる方向（開く方向）に移動し、第二リング３２ａ、３２ｂ、３２ｃの先端が第一リング３１ａ、３１ｂ、３１ｃの先端から押し下げられる（ベースプレート２に近づく）方向へ一旦移動した後、第一リング３１ａ、３１ｂ、３１ｃの先端から遠ざかる方向（開く方向）に移動するようにしてもよい。すなわち、第一リング３１ａ、３１ｂ、３１ｃの先端を上方向に移動させるように構成しなくとも、上記同等の作用を奏する。この場合、第一カム５１は、第一リング３１ａ、３１ｂ、３１ｃの先端が上方向に移動するように設計する。一方、第二カム５２は、第二リング３２ａ、３２ｂ、３２ｃの先端が開く方向へ移動するように設計すればよい。
【００９３】
ここで、図１０は、変形例２の綴じ具における第一カム及び第二カムの側面図を示す。変形例２の綴じ具では、第一カム５１ａの第三接触部５１３ａについて、固定ピン７２の軸芯から第三接触部５１３ａまでの距離Ｘ１が固定ピン７２の軸芯から第一接触部５１１ａまでの距離Ｘ３とほぼ同じ長さに設計されている。これにより、カム５を回動させた際、第一接触部５１１ａと第三接触部５１３ａは、ほぼ同じ力で接触部３７ａを押圧する。すなわち、上述した実施形態のように、板バネ６の付勢力によって接触部３７ａが上方向に浮き上がることが規制される。なお、第二カム５２は、上述した実施形態と同様に設計すればよい。図１０における円（点線）は、固定ピン７２を中心とする仮想円であり、Ｘ１とＸ３の長さを等しいことを示している。
【００９４】
以上、本発明の好適な実施形態を説明したが、本発明に係る綴じ具はこれらに限らず、可能な限りこれらの組合せを含むことができる。例えば、上述した実施形態では、リング３ａ、３ｂ、３ｃの先端部を上下方向に移動させることで、係合状態が解除された。しかし、例えば、カム５の形状やカム５とリング３ａ、３ｂ、３ｃとの連結部の機構を適宜設計し、リング３ａ、３ｂ、３ｃの先端の係合解除方向が上記実施例とは異なる方向（例えば、ベースプレートの長手方向）に移動した後、開リング姿勢を形成する方向へ両リングが移動するようにしてもよい。例えば、板バネ６とは異なるバネをベース部本体９に設けて第二リングをベース部本体９の長手方向に付勢し、第二回転軸部保持部が第二回転軸部（第二リング）の上記方向の移動を許容するように第二回転軸部を保持し、カム５が上記方向の移動も規制するようにする構成・形状にするなどして、係合解除方向を上記とは異なる方向にすることができる。
【００９５】
また、上述した実施形態では、第一リング３１ａ、３１ｂ、３１ｃと第二リング３２ａ、３２ｂ、３２ｃの双方のリングが移動したが、一方のリングのみが移動するように構成してもよい。すなわち、一方のリング（例えば、第一リング３１ａ、３１ｂ、３１ｃ）はベースプレート２に固定し、他方のリング（例えば、第二リング３２ａ、３２ｂ、３２ｃ）のみ、閉リング姿勢から係合解除方向に移動した後、開リング姿勢方向へ移動するように構成することもできる。
【００９６】
更に、閉リング状態から開リング状態へリングが移動する際、一方のリング（例えば、第一リング３１ａ、３１ｂ、３１ｃ）の先端部は常時開リング方向へのみ移動するように構成し、他方のリング（例えば、第二リング３２ａ、３２ｂ、３２ｃ）の先端部は係合解除方向へのみ移動するように構成してもよい。また、一方のリングの先端部が係合解除方向へ移動した後、他方のリングが開リング状態へ移動するように例えばカム５の形状を工夫してもよい。また、例えば、カム５を、リングが閉リング姿勢にある状態でレバー４が回動されると、一方のリングの先端部と他方のリングの先端部のうちの一方の先端部を係合状態の解除方向へ移動させた後、離間させる方向へ移動させ、一方の先端部を係合状態の解除方向へ移動させると共に他方の先端部を離間させる方向へ移動させてもよい。この場合にも、上述した実施形態の綴じ具と同等の作用及び効果を奏することができる。
【００９７】
（別例）
連結部３７ａ、３８ａが押圧されてベース本体２１側に沈む構成の場合、換言すると連結部３７ａ、３８ａがベース本体２１側に移動する構成の場合、ベース本体２１は、連結部３７ａ、３８ａの移動方向に対応する位置を、他の領域よりも凹ませるか、又は、切り欠いてもよい。凹ませた領域、又は切り欠かれた領域は、連結部３７ａ、３８ａの退避領域として機能し、その結果、連結部３７ａ、３８ａの移動可能領域をより大きくすることができる。
【００９８】
また、連結部３７ａと連結部３８ａの間隔、換言すると連結部３７ａと連結部３８ａが最も近づいた際の間隔を広げることで、カム５回りの設計の自由度を向上することができる。また、連結部３７ａと連結部３８ａの間隔を広げることで、リング３ａ、３ｂ、３ｃの先端部同士が離間する開リング姿勢におけるリング３ａ、３ｂ、３ｃの先端部同士の間隔を広げることができ、その結果、紙葉類の綴じ込みや取り出しが更に容易になる。なお、連結部３７ａと連結部３８ａの間隔を広げる構成とする場合、第一カム５１と第二カム５２の夫々が連結部３７ａ、３８ａを押圧できるように幅広に設計する必要がある。
【符号の説明】
【００９９】
１・・・綴具
２・・・ベースプレート
３ａ、３ｂ、３ｃ・・・リング
４・・・レバー
５・・・カム
７・・・カム支持部
２１・・・ベース本体
２２・・・リング支持部
３１ａ、３１ｂ、３１ｃ・・・第一リング
３２ａ、３２ｂ、３２ｃ・・・第二リング
３５ａ、３５ｂ・・・回動軸部
３７ａ、３８ａ・・・連結部
４１・・・基端部
４２・・・自由端部
５１・・・第一カム
５２・・・第二カム
【図１】
2010024124.tif 000003
【図２】
2010024124.tif 000004
【図３】
2010024124.tif 000005
【図４】
2010024124.tif 000006
【図５】
2010024124.tif 000007
【図６Ａ】
2010024124.tif 000008
【図６Ｂ】
2010024124.tif 000009
【図６Ｃ】
2010024124.tif 000010
【図７Ａ】
2010024124.tif 000011
【図７Ｂ】
2010024124.tif 000012
【図７Ｃ】
2010024124.tif 000013
【図８Ａ】
2010024124.tif 000014
【図８Ｂ】
2010024124.tif 000015
【図８Ｃ】
2010024124.tif 000016
【図９】
2010024124.tif 000017
【図１０】
2010024124.tif 000018
【国際調査報告】
2010024124.tif 000019
2010024124.tif 000020